(57)【特許請求の範囲】
【請求項１】
パチンコ遊技機のフロントガラス前面側の磁気を検出するための少なくとも２つの磁気インピーダンス素子と、前記磁気インピーダンス素子から得られるアナログ信号を増幅して出力するアナログ出力部と、前記アナログ出力部の出力をデジタル信号に変換するＡ／Ｄ変換部と、前記アナログ出力部と前記Ａ／Ｄ変換部の間の線路に接続され、電波の到来を検知して、当該電波の到来により変化する前記アナログ出力部の出力信号の振幅を増大させるコイルと、前記Ａ／Ｄ変換部からの出力信号を所定のしきい値と比較する比較部と、前記所定しきい値を記憶する記憶部と、前記比較部による比較結果に基づいて前記パチンコ遊技機の不正使用の有無を演算する処理部と、該処理部による演算結果を出力する出力部と、を備え、
前記記憶部は、磁気を検知するための磁気検知用しきい値と、電波を検知するための電波検知用しきい値を記憶していることを特徴とする、前記パチンコ遊技機に搭載される磁気検知装置。
【請求項２】
パチンコ遊技機のフロントガラス前面側の磁気を検出するための少なくとも２つの磁気インピーダンス素子と、前記磁気インピーダンス素子から得られるアナログ信号を増幅して出力するアナログ出力部と、前記アナログ出力部の出力をデジタル信号に変換するＡ／Ｄ変換部と、前記Ａ／Ｄ変換部からの出力信号を所定のしきい値と比較する比較部と、前記所定しきい値を記憶する記憶部と、前記比較部による比較結果に基づいて前記パチンコ遊技機の不正使用の有無を演算する処理部と、該処理部による演算結果を出力する出力部と、を備え、
前記記憶部は、磁気を検知するための磁気検知用しきい値と、電波を検知するための電波検知用しきい値を記憶し、
前記処理部は、前記比較部からの出力が、前記少なくとも２つの磁気インピーダンス素子の出力信号の前記Ａ／Ｄ変換部によるＡ／Ｄ変換値がすべて前記磁気検知用しきい値より大きいことを示す場合、又は前記少なくとも２つの磁気インピーダンス素子の出力信号の前記Ａ／Ｄ変換部によるＡ／Ｄ変換値がすべて前記磁気検知用しきい値より小さいことを示す場合に、前記電波検知用しきい値を用いて磁石による不正使用か電波による不正使用かを判別し、前記少なくとも２つの磁気インピーダンス素子の出力信号の前記Ａ／Ｄ変換部によるＡ／Ｄ変換値のいずれか一方が前記磁気検知用しきい値より大きく他方が前記磁気検知用しきい値より小さいことを示す場合に、前記磁気検知用しきい値を用いて磁石による不正使用か否かを判別するようにしたことを特徴とする、
前記パチンコ遊技機に搭載される磁気検知装置。
【請求項３】
前記磁気インピーダンス素子は前記パチンコ遊技機のフロントガラス面に平行に設置されていることを特徴とする請求項１又は２に記載の磁気検知装置。
【請求項４】
前記電波検知用しきい値の絶対値は、前記磁気検知用しきい値の絶対値及び、前記パチンコ遊技機の不正使用を目的としない一般無線機による前記磁気インピーダンス素子の出力電圧の絶対値より大きく、前記パチンコ遊技機の不正使用を目的とする無線機による前記磁気インピーダンス素子の出力電力の絶対値より小さい値であることを特徴とする、請求項１又は２に記載の磁気検知装置。
【発明の詳細な説明】
【技術分野】
【０００１】
本発明は磁気インピーダンス素子を使用した磁気検知装置に関し、特にパチンコ遊技機に搭載される磁気検知装置に関する。
【背景技術】
【０００２】
従来のパチンコ遊技機に搭載される磁気検知装置に使用される素子（以下、磁気インピーダンス素子と呼ぶ）としては、特許文献１に開示のリードスイッチや特許文献２に開示のホール素子などが挙げられる。これらの磁気検知装置はパチンコ球の不正な入賞をさせるための磁石を発見するために使用されている。
一方で、電波により遊技機を誤動作させ、不当な賞球を得るといった不正もある。
【０００３】
【特許文献１】特開平5-212152号公報
【特許文献２】特開2007-209592号公報
【発明の開示】
【発明が解決しようとする課題】
【０００４】
本発明の目的は、パチンコ遊技機の不正使用のための磁石を検知するだけでなく、電波による不正使用も検知し、更に不正使用を目的としない携帯電話機等の一般無線機からの電波は不正使用と判定しないようにすることを目的とする。
【課題を解決するための手段】
【０００５】
上記目的を達成するために、本発明の第１の態様により提供されるものは、パチンコ遊技機のフロントガラス前面側の磁気を検出するための少なくとも２つの磁気インピーダンス素子と、磁気インピーダンス素子の出力信号の振幅値を所定しきい値と比較してパチンコ遊技機の不正使用の有無を検出する処理部とを備え、処理部は、所定しきい値として、磁気を検知するための磁気検知用しきい値と、電波を検知するための電波検知用しきい値とを用いて磁石による不正使用に加えて電波による不正使用も検出するようにしたことを特徴とするパチンコ遊技機に搭載される磁気検知装置である。
【０００６】
本発明の第２の態様により提供されるものは、磁気を検出するための少なくとも２つの磁気インピーダンス素子から得られるアナログ信号をＡ／Ｄ変換した信号を所定のしきい値と比較するための比較部と、それら所定しきい値を記憶するための記憶部と、比較部での比較結果を演算する処理部と、該処理部による演算結果を出力する出力部と、を備えた磁気検知装置において、記憶部は、磁気を検知するための磁気検知用しきい値と、電波を検知するための電波検知用しきい値を記憶していることを特徴とするパチンコ遊技機に搭載される磁気検知装置である。
【０００７】
本発明の第３の態様によれば、アナログ出力部とＡ／Ｄ変換部の間の線路に、電波の到来により変化するアナログ出力部の出力信号の振幅を増大させる電波検知手段が接続されている。
【０００８】
本発明の第４の態様によれば、電波検知手段はコイルである。
【０００９】
本発明の第５の態様によれば、磁気インピーダンス素子とアナログ出力部とは単一のモジュールに搭載されている。
【００１０】
本発明の第６の態様によれば、処理部は、比較部からの出力が、少なくとも２つの磁気インピーダンス素子の出力信号のＡ／Ｄ変換部によるＡ／Ｄ変換値がすべて磁気検知用しきい値より大きいことを示す場合、又は少なくとも２つの磁気インピーダンス素子の出力信号のＡ／Ｄ変換部によるＡ／Ｄ変換値がすべて磁気検知用しきい値より小さいことを示す場合に、電波検知用しきい値を用いて磁石による不正使用か電波による不正使用かを判別し、少なくとも２つの磁気インピーダンス素子の出力信号のＡ／Ｄ変換部によるＡ／Ｄ変換値のいずれか一方が磁気検知用しきい値より大きく他方が磁気検知用しきい値より小さいことを示す場合に、磁気検知用しきい値を用いて磁石による不正使用か否かを判別するようにした。
【００１１】
本発明の第７の態様によれば、磁気インピーダンス素子はパチンコ遊技機のフロントガラス面に平行に設置されている。
【００１２】
本発明の第８の態様によれば、電波検知用しきい値の絶対値は、磁気検知用しきい値の絶対値及び、パチンコ遊技機の不正使用を目的としない一般無線機による磁気インピーダンス素子の出力電圧の絶対値より大きく、パチンコ遊技機の不正使用を目的とする無線機による磁気インピーダンス素子の出力電圧の絶対値より小さい値である。
【発明の効果】
【００１３】
本発明により、少なくとも２つ以上の磁気インピーダンス素子を有した磁気検知装置において、不正な磁石を検知するための磁気検知用しきい値と電波の到来を検出するための電波検知用しきい値を設定し、磁気抵抗素子のアナログ変化を処理することにより、パチンコ遊技機において以下の効果が得られる。
（１）検出部を磁気検知に必要な最低限の構成としたままで、パチンコ遊技機の磁石による不正使用と電波による不正使用の２種類の不正使用に対する対策を施すことができる。
（２）磁気インピーダンス素子のアナログ変化が磁石によるものか電波によるものかを判定できるので、パチンコ遊技機の不正使用がどのような不正使用かを判別できる。
（３）携帯電話機等の不正使用を目的としない一般無線機からの電波による磁気検知をしないようにして、一般無線機の使用者がパチンコ遊技機を不正使用していると判定しないようにできる。
【発明を実施するための最良の形態】
【００１４】
以下に本発明の実施の形態を図面により詳細に説明する。全図を通して、同一参照番号は同一部を示す。
図１は本発明の第１の実施の形態による、パチンコ遊技機に搭載される磁気検知装置の構成を示すブロック図である。図１において、磁気検知装置１は、モジュール１１とマイコン１２を備えている。
【００１５】
モジュール１１は、磁気インピーダンス素子（Ｘ）１１１と磁気インピーダンス素子（Ｙ）１１２と、磁気インピーダンス素子（Ｘ）１１１から出力されるアナログ信号を増幅して出力するアナログ出力部（Ｘ）１１３と、磁気インピーダンス素子（Ｙ）１１２から出力されるアナログ信号を増幅して出力するアナログ出力部（Ｙ）１１４とを備えている。
【００１６】
マイコン１２は、モジュール１１のアナログ出力部（Ｘ）１１３から出力されたアナログ信号をデジタル信号に変換するためのＡ／Ｄ変換部（Ｘ）１２１と、アナログ出力部（Ｙ）１１４から出力されたアナログ信号をデジタル信号に変換するためのＡ／Ｄ変換部（Ｙ）１２２と、Ａ／Ｄ変換部（Ｘ）１２１からの出力信号を所定しきい値と比較する比較部（Ｘ）１２３と、Ａ／Ｄ変換部（Ｙ）１２２からの出力信号を所定しきい値と比較する比較部（Ｙ）１２４と、それらの所定しきい値である磁気検知用しきい値と電波検知用しきい値を記憶する記憶部１２５と、比較部（Ｘ）１２３及び比較部（Ｙ）１２４で得られた結果の第１の処理（後に詳述する）をする第１処理部１２６と、第１処理部１２６の処理結果に応じて第２の処理（後に詳述する）をする第２処理部１２７と、第１処理部１２６及び第２処理部１２７の出力である処理結果を出力する出力部１２８とを備えている。磁気検知用しきい値と電波検知用しきい値を用いたことにより、出力部１２８は磁気検知出力又は電波検知出力をする。
【００１７】
アナログ出力部（Ｘ）１１３とＡ／Ｄ変換部（Ｘ）１２１との間には、電波検知用のコイル１３が接続されてもよい。コイル１３はアンテナの役割を果たす。１４は受信感度が最大となる周波数を調整するためのコンデンサである。コイル１３を接続することによりアナログ出力部（Ｘ）１１３の出力信号の振幅が増大するので、このコイル１３により電波の受信感度を調整できる。
【００１８】
記憶部１２５は上記磁気検知用しきい値と電波検知用しきい値を記憶するとともに、図１１にて説明するそれらのしきい値の初期設定処理に必要な規定範囲の電圧値（磁石や電波の影響がない状態での磁気インピーダンス素子の出力電圧に対応するデジタル電圧値）も保持している。
【００１９】
磁気インピーダンス素子（Ｘ）１１１と磁気インピーダンス素子（Ｙ）１１２はパチンコ遊技機のフロントガラスの表面に略平行に実質的に９０°の角度で配置される。
【００２０】
図２は本発明の第２の実施の形態による、パチンコ遊技機に搭載される磁気検知装置の構成を示すブロック図である。図２において、図１と同一部分には同一の参照番号を付してあり、その部分の説明は省略する。図２において、磁気検知装置２は、モジュール２１とマイコン２２を備えている。
【００２１】
モジュール２１は、磁気インピーダンス素子（Ｘ）１１１と磁気インピーダンス素子（Ｙ）１１２の出力をマイコン２２から出力される切替信号に応じて時間的に切り替えて出力する切替部２１１と、切替部２１１から出力される時間的に切り替えられた磁気インピーダンス素子の出力を増幅して出力するアナログ出力部２１２とを備えている。
【００２２】
マイコン２２は、モジュール２１内の切替部２１１に切替信号を出力する切替出力部２２１と、モジュール２１のアナログ出力部２１２から出力されたアナログ信号をデジタル信号に変換するためのＡ／Ｄ変換部２２２と、Ａ／Ｄ変換部２２２からの出力信号の振幅を所定しきい値と比較する比較部２２３と、それらの所定しきい値である磁気検知用しきい値と電波検知用しきい値を記憶する記憶部２２４と、一方の磁気インピーダンス素子の出力振幅を所定しきい値と比較している間に、他方の磁気インピーダンス素子の出力振幅の所定しきい値との直前の比較結果を記憶している記憶部２２５と、比較部２２３で得られ、記憶部２２５に記憶されている結果の第１の処理（後に詳述する）をする第１処理部１２６と、第１処理部１２６の処理結果に応じて第２の処理（後に詳述する）をする第２処理部１２７と、第１処理部１２６及び第２処理部１２７の出力である処理結果を出力する出力部１２８とを備えている。記憶部２２４には、図１２で説明するしきい値初期設定処理に必要な規定電圧範囲も保存されている。磁気検知用しきい値と電波検知用しきい値を用いたことにより、図１の場合と同様に、出力部１２８は磁気検知出力又は電波検知出力をする。切替出力部２２１の出力がハイ（Ｈ）レベルの場合は切替部２１１は磁気インピーダンス素子（Ｘ）１１１の出力を有効にし、ロー（Ｌ）レベルの場合は磁気インピーダンス素子（Ｙ）１１２の出力を有効にする。
【００２３】
アナログ出力部２１２とＡ／Ｄ変換部２２２との間には、図１と同様に電波検知用のコイル１３が接続されてもよい。コイル１３に替えてアンテナを接続してもよい。１４は交流接地用のコンデンサである。
【００２４】
切替出力部２２１から出力される切替信号は、使用する磁気インピーダンス素子の出力を切替部２１１にて切り替えて出力させるための信号である。アナログ出力部２１２と記憶部２２４の動作を同期させることにより、図２に示すように磁気インピーダンス素子（Ｘ）１１１の出力としきい値との比較及び磁気インピーダンス素子（Ｙ）１１２の出力としきい値との比較を単一のＡ／Ｄ変換部２２２及び単一の比較部２２３により実現できる。
【００２５】
図２に示した実施の形態においては、磁気検知装置は検知領域の異なる２つの磁気インピーダンス素子を瞬間的に切替えることにより、図１におけるように２つの磁気インピーダンス素子を同時に使用するのと同等の検知領域を確保できる。
【００２６】
なお、図１及び図２に示したモジュール自体は市販されている。
【００２７】
図３は図１又は図２に示した磁気検知装置を一体化したモジュールの分解斜視図である。図３において、３１はケース、３２はモジュール、３３はマイコン、３４は回路基板、３５はコネクタ、３６はコネクタ３５を覆うカバーである。モジュール３２とマイコン３３は同一回路基板３４上に搭載されている。モジュール３２とマイコン３３を搭載した回路基板３４をケース３１で覆い、コネクタ３５をカバー３６で覆うことにより、磁気検知装置は一体化される。モジュール３２及びマイコン３３は図１に示したモジュール１１及びマイコン１２でも、図２に示したモジュール２１及びマイコン２２でもよい。以下の説明では、図１に示した磁気検知装置を用いるものとする。
【００２８】
図３に示したように、少なくともモジュール３２とマイコン３３が搭載された回路基板３４は、ケース３１及びカバー３６の内部に収納されている。
【００２９】
図４の（Ａ）は本発明による磁気検知装置を取り付けたパチンコ遊技機の正面図であり、図４の（Ｂ）は図４の（Ａ）のＡ−Ａ線拡大断面図である。図４の（Ａ）及び（Ｂ）において、４１はパチンコ遊技機、４２はパチンコ遊技機４１の表面のフロントガラス、４３はパチンコ遊技機４１の盤面、４４はフロントガラス４２の前面側にパチンコ遊技機の不正使用の目的で置かれた磁石である。盤面４３の裏側には、図３に示した磁気検知装置１が配置されている。図示のように、少なくともモジュール３２のパッケージ上面が遊技機のフロントガラス４２の面に平行になるように、即ち、モジュール３２内の磁気インピーダンス素子（Ｘ）１１１及び磁気インピーダンス素子（Ｙ）１１２がフロントガラス４２の面に平行になるように磁気検知装置１を盤面４３の裏側に設置する。これにより、磁石４４を検知可能な領域が最大になる。
【００３０】
図５は図４に示したように磁気検知装置１を取り付けたときのパチンコ遊技機のフロントガラス４２の面における磁石４４からの磁気の検知領域のイメージを示す図である。磁気インピーダンス素子（Ｘ）１１１と磁気インピーダンス素子（Ｙ）１１２との間の角度は略９０°なので、検知領域には指向性がある。図において、点線の楕円領域内は磁気インピーダンス素子（Ｘ）１１１による磁石４４からの磁気の検知領域を示し、実線の楕円領域は磁気インピーダンス素子（Ｙ）１１２による磁石４４からの磁気の検知領域を示す。磁石４４が図示点線の矢印方向に（１）から（５）の軌跡で移動するとする。すると、図の斜線部分では磁気インピーダンス素子（Ｘ）１１１と磁気インピーダンス素子（Ｙ）１１２のいずれの出力も検知可能であるが、それ以外のエリアでは磁気インピーダンス素子（Ｘ）１１１と磁気インピーダンス素子（Ｙ）１１２のいずれか一方からの出力のみ検知可能である。
【００３１】
図６は図５で示すようにフロントガラス面における検知領域を磁石４４が（１）から（５）の軌跡で移動したときの磁気インピーダンス素子の出力と比較部の出力の関係を示すグラフ図であって、（Ａ）は磁気インピーダンス素子（Ｘ）１１１のアナログ出力信号の変化を示すグラフ図、（Ｂ）は磁気インピーダンス素子（Ｙ）１１２のアナログ出力信号の変化を示すグラフ図、（Ｃ）はマイコン１２内の比較部１２３のデジタル出力波形を示すグラフ図、（Ｄ）はマイコン１２内の比較部１２４のデジタル出力波形を示すグラフ図、（Ｅ）は第１処理部１２６の出力波形を示すグラフ図である。磁石はそのＮ極を移動方向の先頭に置いた。Ｓ極を移動方向の先頭に置いて移動させた場合は図６の（Ａ）及び（Ｂ）のグラフとは正負が逆になる。
【００３２】
磁気インピーダンス素子の出力振幅は、磁石の接近により磁石が接近していないときに対して、図６の（Ａ）及び（Ｂ）に示すように上昇したり下降したりして変化することが知られている。なお、図６の（Ａ）及び（Ｂ）において、最大値及び最小値が一定となっているのは、磁気インピーダンス素子の特性上、それ以上又はそれ以下の電圧は出力しないようになっているからである。磁気検知用のしきい値を、磁気インピーダンス素子（Ｘ）１１１についてはＶｘ１、Ｖｘ２、磁気インピーダンス素子（Ｙ）１１２についてはＶｙ１、Ｖｙ２にしたとき、磁気インピーダンス素子のアナログ出力電圧値がそれぞれＶｘ１、Ｖｙ１を超えたとき又はＶｘ２，Ｖｙ２を下回ったときに磁石を検知したことになる。図６の（Ｃ）においては、位置Ｐ１からＰ２の間、及びＰ３からＰ４の間では磁気インピーダンス素子（Ｘ）１１１に磁石４４が接近したことが検出されており、図６の（Ｄ）においては、位置Ｐ６とＰ７の間及びＰ８とＰ９の間では磁気インピーダンス素子（Ｙ）１１２に磁石４４が接近したことが検出されている。図６の（Ｅ）において、第１処理部１２６により比較部（Ｘ）１２３の出力と比較部（Ｙ）１２４の出力の論理和が演算されて出力されている。この場合は位置Ｐ１以降で磁石４４が磁気インピーダンス素子（Ｘ）１１１又は磁気インピーダンス素子（Ｙ）１１２に接近したことが検出されている。
【００３３】
図７は磁気検知装置に電波が到来したときの磁気インピーダンス素子の出力と比較部の出力の関係を示すグラフ図であって、（Ａ）は磁気インピーダンス素子（Ｘ）１１１のアナログ出力信号の変化を示すグラフ図、（Ｂ）は磁気インピーダンス素子（Ｙ）１１２のアナログ出力信号の変化を示すグラフ図、（Ｃ）はマイコン１２内の比較部１２３のデジタル出力波形を示すグラフ図、（Ｄ）はマイコン１２内の比較部１２４のデジタル出力波形を示すグラフ図、（Ｅ）は第１処理部１２６の出力波形を示すグラフ図である。
【００３４】
電波はその特性上、“電界”と“磁界”の両方の特徴を持ち合わせている。したがって、強力な電波は磁石と同様にパチンコ遊技機の不正使用に利用される可能性がある。そこで、本発明においては磁石のみならず強力な電波も検出出来るようにした。しかし、しきい値を図６に示したものと同じにしたのでは、図７に示すように、電波強度が弱い携帯電話機等の一般無線機の電波も検出してしまうことになり、パチンコ遊技機の利用者が不正使用をしていなくても不正使用と判断される可能性がある。
【００３５】
即ち、図７の（Ｃ）、（Ｄ）及び（Ｅ）に示すように、時刻ｔ１からｔ２の間は電波強度の強い不正電波を検出しているが、時刻ｔ３からｔ４の間は電波強度の弱い一般無線機からの電波も検出している。
【００３６】
そこで、本発明の実施の形態では、磁気検知用しきい値とは別に電波検知用しきい値を用いて、磁石による磁気検出とは別に不正電波の検出も行うようにした。以下、“不正な磁石”と“不正な電波”を識別できる信号処理について説明する。
【００３７】
図８は磁石検知用しきい値のみを用いた場合の比較部（Ｘ）１２３及び比較部（Ｙ）１２４の動作を説明する図である。パチンコ遊技機に搭載された磁気検知装置が電波を検知したときは比較部（Ｘ）１２３及び比較部（Ｙ）１２４の出力が共にＨ又はＬになる。一般に電波は磁石に比べて無指向性である傾向が強いので、磁気インピーダンス素子（Ｘ）１１１及び磁気インピーダンス素子（Ｙ）１１２により共に検出されるからである。これに対し、磁石は電波に比べて指向性が鋭いので、磁気インピーダンス素子（Ｘ）１１１と磁気インピーダンス素子（Ｙ）１１２のいずれか一方に対応する比較部の出力がＨ又はＬになり他方がＮ（非検出）になるか、いずれの比較部の出力も共にＨ又は共にＬになる。したがって、比較部（Ｘ）１２３及び比較部（Ｙ）１２４の出力の片方だけが検出状態（Ｈ又はＬ）となった場合には、確実に磁石による変化であると判定できる。よって、比較部（Ｘ）１２３及び比較部（Ｙ）１２４の出力の一方が検知状態である場合には、磁石を検出していると判定し、両方が非検出状態（Ｎ）である場合には、磁石も電波も検知をしていないと判定し、両方の比較器の出力が検知状態（Ｈ又はＬ）であるときには、“不正な磁石”と“電波”のどちらかを判定するという、３つの状態に区分する。ここまでを処理１とし、図１の第１処理部１２６により処理される。
【００３８】
図９は、磁気検知用しきい値Ｖｘ１、Ｖｘ２、Ｖｙ１、Ｖｙ２に加えて、電波検知用しきい値Ｖａ１、Ｖａ２、Ｖｂ１、Ｖｂ２を設けた場合の、磁気インピーダンス素子（Ｘ）１１１と磁気インピーダンス素子（Ｙ）１１２から得られる状態と磁気検知出力と電波検知出力の関係を示すグラフ図である。
【００３９】
図９の（Ａ）は磁気インピーダンス素子（Ｘ）１１１のアナログ出力信号の変化を示すグラフ図、（Ｂ）は磁気インピーダンス素子（Ｙ）１１２のアナログ出力信号の変化を示すグラフ図、（Ｃ）は磁気検知用しきい値Ｖｘ１、Ｖｘ２、Ｖｙ１、Ｖｙ２を使用したときのマイコン１２内の比較部（Ｘ）１２３及び比較部（Ｙ）１２４のデジタル出力波形を示すグラフ図、（Ｄ）は電波検知用しきい値Ｖａ１、Ｖａ２、Ｖｂ１、Ｖｂ２を使用したときのマイコン１２内の比較部（Ｘ）１２３及び比較部（Ｙ）１２４のデジタル出力波形を示すグラフ図、（Ｅ）は磁気検知用しきい値のみを用いた場合に処理できない領域を示しており、（Ｆ）は磁気検知用しきい値と電波検知用しきい値を用いた場合の磁石による磁気検知出力を示すグラフ図、（Ｇ）は磁気検知用しきい値と電波検知用しきい値を用いた場合の電波検知出力を示すグラフである。図９の（Ａ）〜（Ｅ）のすべてにおいて、横軸は時間を示しており、縦軸は電圧値を示している。
【００４０】
磁気インピーダンス素子（Ｘ）１１１及び磁気インピーダンス素子（Ｙ）１１２の指向性が一致する検知領域（図５の斜線部分）に磁石４４が存在する場合には、各々の磁気インピーダンス素子のアナログ出力電圧は一致してしまう（同時に検知状態となってしまう）。ただし、磁気インピーダンスの指向性により、これら一致する検出領域での磁気インピーダンス素子のアナログ出力電圧は検出領域における値の最小値となるので、各磁気インピーダンス素子のアナログ電圧は飽和することはなく、不正な電波により変化する磁気インピーダンス素子のアナログ電圧よりも小さくなる。この事実に着目して、本発明の実施の形態により、磁気インピーダンス素子（Ｘ）１１１については不正な電波検出用のしきい値Ｖａ１とＶａ２とを設け、磁気インピーダンス素子（Ｙ）１１２について不正な電波検出用のしきい値Ｖｂ１とＶｂ２とを設けた。そして、電波検知用しきい値は、Ｖａ１＞Ｖｘ１、Ｖａ２＜Ｖｘ２、Ｖｂ１＞Ｖｙ１、Ｖｂ２＜Ｖｙ２に設定した。ただし、Ｖａ１、Ｖａ２、Ｖｂ１、Ｖｂ２の絶対値は、磁気検知用しきい値の絶対値、及び、パチンコ遊技機の不正使用を目的としない一般無線機による磁気インピーダンス素子の出力電圧の絶対値より大きい値であり、不正使用を目的とする無線機による磁気インピーダンス素子の出力電圧の絶対値より小さい値である。
【００４１】
図９の（Ａ）において、（２）及び（３）と記したのは、図５の領域（２）から（３）に磁石４４が移動し、その後に電波が到来する状態を想定している。時刻ｔ０は磁気インピーダンス素子の出力電圧の測定開始時刻、時刻ｔ１は磁気インピーダンス素子（Ｘ）１１１のアナログ出力電圧の下降時に電波検知用しきい値Ｖａ１に一致する時刻、時刻ｔ２は磁気インピーダンス素子（Ｘ）１１１のアナログ出力電圧の下降時に磁気検知用しきい値Ｖｘ１に一致する時刻、時刻ｔ３は磁気インピーダンス素子（Ｘ）１１１のアナログ出力電圧の下降時に磁気検知用しきい値Ｖｘ２に一致する時刻、時刻ｔ４は磁気インピーダンス素子（Ｘ）１１１のアナログ出力電圧の下降時に電波検知用しきい値Ｖａ２に一致する時刻、時刻ｔ５は磁気インピーダンス素子（Ｘ）１１１のアナログ出力電圧の上昇時に電波検知用しきい値Ｖａ２に一致する時刻、時刻ｔ６は磁気インピーダンス素子（Ｘ）１１１のアナログ出力電圧の上昇時に磁気検知用しきい値Ｖｘ２に一致する時刻、時刻ｔ７は不正な電波の受信による磁気インピーダンス素子（Ｘ）１１１のアナログ出力電圧の上昇時の時刻、ｔ８は不正な電波の受信の終了による気インピーダンス素子（Ｘ）１１１のアナログ出力電圧の下降時の時刻、ｔ９は一般無線機からの電波による磁気インピーダンス素子（Ｘ）１１１のアナログ出力電圧の上昇時の時刻、ｔ１０は一般無線機からの電波の受信終了による磁気インピーダンス素子（Ｘ）１１１のアナログ出力電圧の下降時の時刻である。
【００４２】
図９の（Ｂ）において、時刻ｔ１１は磁気インピーダンス素子（Ｙ）１１２のアナログ出力電圧の上昇時に磁気検知用しきい値Ｖｙ１に一致する時刻、時刻ｔ１２は磁気インピーダンス素子（Ｙ）１１２のアナログ出力電圧の上昇時に電波検知用しきい値Ｖｂ１に一致する時刻、時刻ｔ１３は磁気インピーダンス素子（Ｙ）１１２のアナログ出力電圧の下降時に電波検知用しきい値Ｖｂ１に一致する時刻、時刻ｔ１４は磁気インピーダンス素子（Ｙ）１１２のアナログ出力電圧の下降時に磁気検知用しきい値Ｖｙ１に一致する時刻である。時刻ｔ７〜ｔ１０においては、電波の影響を受けているので、磁気インピーダンス素子（Ｙ）１１２の出力は磁気インピーダンス素子（Ｘ）１１１の出力と同じ動きをしている。
【００４３】
図９の（Ｃ）において、磁気検知用しきい値と比較した場合の比較部（Ｘ）１２３の出力は、時刻ｔ０からｔ２まではＨレベル、時刻ｔ２からｔ３まではＮ（非検出）、時刻ｔ３からｔ６まではＬレベル、時刻ｔ６からｔ７まではＮ（非検出）、時刻ｔ７からｔ８まではＨレベル、時刻ｔ８からｔ９まではＮ（非検出）、ｔ９からｔ１０まではＨレベル、ｔ１０以降はＮ（非検出）である。
【００４４】
また、磁気検知用しきい値と比較した場合の比較部（Ｙ）１２４の出力は、時刻ｔ０からｔ１１まではＮ（非検出）、ｔ１１からｔ１４まではＨレベル、ｔ１４からｔ７まではＮ（非検出）、ｔ７以降は磁気インピーダンス素子（Ｘ）１１１の出力と同じである。
【００４５】
図９の（Ｄ）において、電波検知用しきい値と比較した場合の比較部（Ｘ）１２３の出力は、時刻ｔ０からｔ１まではＨレベル、時刻ｔ１からｔ４まではＮ（非検出）、ｔ４からｔ５まではＬレベル、ｔ５からｔ７まではＮ（非検出）、ｔ７からｔ８はＨレベル、ｔ８以降はＮ（非検出）である。
【００４６】
また、電波検知用しきい値と比較した場合の比較部（Ｙ）１２４の出力は、時刻ｔ０からｔ１２まではＮ（非検出）、ｔ１２からｔ１３まではＨレベル、ｔ１３からｔ７まではＮ（非検出）、ｔ７以降は比較部（Ｘ）１２３の出力と同じである。
【００４７】
図９の（Ｅ）において、磁気検知用しきい値と比較した場合に比較部（Ｘ）１２３の出力及び比較部（Ｙ）１２４の出力が共にＨレベルとなっている時間帯を斜線で示してある。図示例ではｔ１１とｔ２の間、ｔ７とｔ８の間及びｔ９とｔ１０の間では、磁気検知用しきい値と比較した場合に比較部（Ｘ）１２３の出力及び比較部（Ｙ）１２４の出力が共にＨレベルとなっており、これらの時間帯では、パチンコ遊技機の不正使用は検出できるが、その不正使用が磁石によるものか電波によるものかの判別ができない。
【００４８】
そこで、上記の時間帯については第２処理部１２７による処理２を実行することにより、不正使用が電波によるものか磁石によるものかを判別する。
【００４９】
図９の（Ｆ）に示すように、時刻ｔ０からｔ６までは、処理１により磁気検知用しきい値との比較による比較部（Ｘ）１２３と比較部（Ｙ）１２４の出力の少なくとも一つがＨレベル又はＬレベルとなっており、処理２による電波検知用しきい値との比較による比較部（Ｘ）１２３と比較部（Ｙ）１２４の出力のいずれもＨ又はＬレベルにないので、不正使用は磁石によると判定される。
【００５０】
また、図９の（Ｇ）に示すように、時刻ｔ７とｔ８の間では、処理１により磁気検知用しきい値との比較による比較部（Ｘ）１２３と比較部（Ｙ）１２４のいずれもＨレベルとなっており、処理２による電波検知用しきい値との比較による比較部（Ｘ）１２３と比較部（Ｙ）１２４の出力のいずれもＨとなっているので、不正使用は電波によると判定される。
【００５１】
不正な電波による磁気インピーダンス素子の出力電圧が磁石による磁気インピーダンス素子の出力電圧よりも低いときには、図１に示したようにアンテナの役割を果す電波検知用コイル１３をアナログ出力部（Ｘ）１１３とＡ／Ｄ変換部（Ｘ）１２１の間の線路に接続することにより、不正な電波による磁気インピーダンス素子の出力電圧の絶対値を磁石による磁気インピーダンス素子の出力電圧の絶対値よりも高くすれば、不正な電波の検出が可能になる。
【００５２】
図１０は、図９の（Ｅ）に示したように、比較部（Ｘ）１２３及び比較部（Ｙ）１２４の出力がともに検出状態（ともにＨレベルもしくはともにＬレベル）となったときの処理２（処理１で処理できなかった場合の処理）を示す図である。このときは、比較部（Ｘ）１２３及び比較部（Ｙ）１２４はともに電波検知用しきい値を基準として、両方の出力が共にＨレベル又は共にＬレベルとなった場合に不正な電波による出力と判定し、それ以外は不正な磁石によるものと判定する。図１０において、比較部（Ｘ）１２３の出力と比較部（Ｙ）１２４の出力の一方のみがＨレベル又はＬレベルとなる状態は、電波の検知においてはあり得ないので、両出力がＨレベルになる場合、又は両出力がＬレベルになる場合に、電波による不正使用がなされていると判定する。両出力がＮ（非検出）の場合は不正使用とは判定しない。
【００５３】
図１１は図１に示した磁気検知装置によるメイン処理を説明するフローチャートである。図１１において、ステップＳ１１１にて、磁気検知装置への電源投入をメイン処理の開始条件とする。電源投入後にステップＳ１１２にて、磁石検知用しきい値と電波検知用しきい値を生成し、記憶部１２５に保存するためのしきい値設定処理を行う。各々のしきい値設定が正常に終わった後に、ステップＳ１１３にて、不正な磁石又は電波を検知するために、モジュール１１からのアナログ信号の出力と、マイコン１２における比較及び演算処理を行う。本メイン処理はステップＳ１１４にて電源低下を検知すると終了する。
【００５４】
図１２は図１１のステップＳ１１２におけるしきい値設定処理の詳細を説明するフローチャートである。図１２において、ステップＳ１２１にて、磁気インピーダンス素子（Ｘ）１１１からのアナログ出力信号をＡ／Ｄ変換部（Ｘ）１２１によりＡ／Ｄ変換し、次いでステップＳ１２２にて、比較部（Ｘ）１２３により磁気検知装置に磁石などによる磁気の影響がないことを確認するための比較処理をする。この比較処理では、モジュール１１が不正磁石による磁界を受けていないときの電圧の規格に基づき比較基準（以下、規定電圧とする）を設定する。次いでステップＳ１２３にて比較部（Ｘ）１２３に入力された電圧が規定電圧の範囲内にあるかを判定する。規定電圧の範囲外の場合にはステップＳ１２４にて、比較部（Ｘ）１２３からパルス出力を継続して出力し、正常にしきい値生成ができなかったことを外部に報知する。規定電圧内であった場合には、しきい値生成が正常に行えたとみなし、ステップＳ１２５に進んで磁気インピーダンス素子（Ｘ）１１１に関する比較部（Ｘ）１２３におけるしきい値を更新し、記憶部１２５に保存して処理を終了する。
【００５５】
磁気インピーダンス素子（Ｙ）１１２の出力に対しても、ステップＳ１２６〜Ｓ１２９にて同様の処理をしてしきい値を設定する。
【００５６】
図１３は図２に示した磁気検知装置におけるしきい値設定処理を説明するフローチャートである。図１３において、基本的には図１１及び図１２に示した処理と同様の処理を行う。図１３において、ステップＳ１３０１にて電源投入後、ステップＳ１３０２にて、マイコン２２内の切替出力部２２１よりＨ信号を切替部２１１に出力して、磁気インピーダンス素子Ｘのみを使用できるようにする。次いでステップＳ１３０３にて、モジュール２１のアナログ出力信号をＡ／Ｄ変換し、ステップＳ１３０４にて比較処理をする。そしてステップＳ１３０５にて比較部２２３の入力電圧が規定電圧内かどうかを判定し、規定電圧外の場合にはステップＳ１３０６にてしきい値が正常に設定できないことを報知するために、異常出力としてのパルスを発生する。規定電圧内の場合は、ステップＳ１３０７にて磁気インピーダンス素子（Ｘ）１１１に関するしきい値を更新し記憶部２２４に保存する。次いで、ステップＳ１３０８からＳ１３１３にて磁気インピーダンス素子（Ｙ）１１２についても同様の処理を行う。
【００５７】
図１４は図１に示した磁気検知装置におけるマイコン１２の動作を説明するフローチャートである。図１４において、ステップＳ１４１にてＡ／Ｄ変換部（Ｘ）１２１により磁気インピーダンス素子（Ｘ）１１１の出力をデジタル信号に変換し、ステップＳ１４２にて比較部（Ｘ）１２３によりＡ／Ｄ変換部（Ｘ）１２１からのデジタル信号の電圧を記憶部１２５に記憶されている磁気検知用しきい値と比較する。同時に、ステップＳ１４３にてＡ／Ｄ変換部（Ｙ）１２２により磁気インピーダンス素子（Ｙ）１１２の出力をデジタル信号に変換し、ステップＳ１４４にて比較部（Ｙ）１２４によりＡ／Ｄ変換部（Ｙ）１２２からのデジタル信号の電圧を記憶部１２５に記憶されている磁気検知用しきい値と比較する。
【００５８】
次いでステップＳ１４５にて図８により説明した処理１の処理を第１処理部１２６により行い、ステップＳ１４６にて、磁気検知用しきい値を用いて、比較部（Ｘ）１２３及び比較部（Ｙ）１２４の出力が、同時にＨレベル又はＬレベルかを判定する。この判定結果が同時にＨレベル又はＬレベルであればステップＳ１４７にて図１０により説明した処理２の処理を第２処理部１２７により行う。ステップＳ１４６の判定結果がＮｏの場合は磁石による不正使用の検出結果又はステップＳ１４７による電波による不正使用の検出結果がステップＳ１４８にて出力される。
【００５９】
図１５は図２に示した磁気検知装置におけるマイコン２２の動作を説明するフローチャートである。図１５において、ステップＳ１５１にて切替出力部２２１からＨレベルの信号を切替部２１１に出力する。次いでステップＳ１５２にて、Ａ／Ｄ変換部２２２により磁気インピーダンス素子（Ｘ）１１１の出力をデジタル信号に変換し、ステップＳ１５３にて比較部２２３によりＡ／Ｄ変換部２２２からのデジタル信号の電圧を記憶部２２４に記憶されている磁気検知用しきい値と比較する。次いでステップＳ１５４にて切替出力部２２１からＬレベルの信号を切替部２１１に出力する。そしてステップＳ１５５にてＡ／Ｄ変換部２２２により磁気インピーダンス素子（Ｙ）１１２の出力をデジタル信号に変換し、ステップＳ１５６にて比較部２２３によりＡ／Ｄ変換部２２２からのデジタル信号の電圧を記憶部２２４に記憶されている磁気検知用しきい値と比較する。
【００６０】
次いでステップＳ１５７にて図８により説明した処理１の処理を第１処理部１２６により行い、ステップＳ１５８にて、磁気検知用しきい値を用いて、磁気インピーダンス素子（Ｘ）１１１及び磁気インピーダンス素子（Ｙ）１１２の出力をデジタル信号に変換したものが、同時にＨレベル又はＬレベルかを判定する。この判定結果が同時にＨレベル又はＬレベルであればステップＳ１５９にて図１０により説明した処理２の処理を第２処理部１２７により行う。ステップＳ１５８の判定結果がＮｏの場合は磁石による不正使用の検出結果又はステップＳ１５９による電波による不正使用の検出結果がステップＳ１６０にて出力される。
【図面の簡単な説明】
【００６１】
【図１】本発明の第１の実施の形態による、パチンコ遊技機に搭載される磁気検知装置の構成を示すブロック図である。
【図２】本発明の第２の実施の形態による、パチンコ遊技機に搭載される磁気検知装置の構成を示すブロック図である。
【図３】図１又は図２に示した磁気検知装置を一体化したモジュールの分解斜視図である。
【図４】（Ａ）は本発明による磁気検知装置を取り付けたパチンコ遊技機の正面図であり、（Ｂ）は図４の（Ａ）のＡ−Ａ線拡大断面図である。
【図５】図４に示したように磁気検知装置１を取り付けたときのパチンコ遊技機のフロントガラス４２の面における磁石４４からの磁気の検知領域のイメージを示す図である。
【図６】図５で示すようにフロントガラス面における検知領域を磁石４４が（１）から（５）の軌跡で移動したときの磁気インピーダンス素子の出力と比較部の出力の関係を示すグラフ図である。
【図７】磁気検知装置に電波が到来したときの磁気インピーダンス素子の出力と比較部の出力の関係を示すグラフ図である。
【図８】磁石検知用しきい値のみを用いた場合の比較部（Ｘ）１２３及び比較部（Ｙ）１２４の動作を説明する図である。
【図９】磁気検知用しきい値に加えて、電波検知用しきい値を設けた場合の、磁気インピーダンス素子から得られる状態と磁気検知出力と電波検知出力の関係を示すグラフ図である。
【図１０】処理２（処理１で処理できなかった場合の処理）を示す図である。
【図１１】図１に示した磁気検知装置によるメイン処理を説明するフローチャートである。
【図１２】図１１のステップＳ１１２におけるしきい値設定処理の詳細を説明するフローチャートである。
【図１３】図２に示した磁気検知装置におけるしきい値設定処理を説明するフローチャートである。
【図１４】図１に示した磁気検知装置におけるマイコン１２の動作を説明するフローチャートである。
【図１５】図２に示した磁気検知装置におけるマイコン２２の動作を説明するフローチャートである。
【符号の説明】
【００６２】
１    磁気検知装置
１１１    磁気インピーダンス素子（Ｘ）
１１２    磁気インピーダンス素子（Ｙ）
１２１    Ａ／Ｄ変換部（Ｘ）
１２２    Ａ／Ｄ変換部（Ｙ）
１２３    比較部（Ｘ）
１２４    比較部（Ｙ）
１２５    記憶部
１２６    第１処理部
１２７    第２処理部
１２８    出力部
４１    パチンコ遊技機
４２    フロントガラス
４４    磁石
【図１】
0005458502.tif 000002
【図２】
0005458502.tif 000003
【図３】
0005458502.tif 000004
【図４】
0005458502.tif 000005
【図５】
0005458502.tif 000006
【図６】
0005458502.tif 000007
【図７】
0005458502.tif 000008
【図８】
0005458502.tif 000009
【図９】
0005458502.tif 000010
【図１０】
0005458502.tif 000011
【図１１】
0005458502.tif 000012
【図１２】
0005458502.tif 000013
【図１３】
0005458502.tif 000014
【図１４】
0005458502.tif 000015
【図１５】
0005458502.tif 000016